(57)【特許請求の範囲】
【請求項１】
第１の所定速度で変化する第１の表示内容を表示する表示部と、
前記表示部が被覆される範囲を検出する検出部と、
前記表示部に前記第１の表示内容が表示された状態で前記検出部により所定範囲以上の範囲において前記表示部が被覆されたことが検出されると、前記第１の表示内容の変化速度を前記第１の所定速度よりも遅い変化速度である第２の所定速度に設定して前記第１の表示内容を前記表示部に表示する制御部と、
を有することを特徴とする表示機器。
【請求項２】
前記制御部は、前記表示部に前記第１の表示内容が表示された状態で、前記検出部により所定範囲以上の範囲において前記表示部が被覆されたことが第１の所定時間以上検出されると、前記第１の表示内容の変化速度を前記第２の所定速度に設定して前記第１の表示内容を前記表示部に表示する
ことを特徴とする請求項１に記載の表示機器。
【請求項３】
前記制御部は、前記第１の表示内容の変化速度を前記第２の所定速度に設定して前記第１の表示内容を前記表示部に表示している状態で、前記検出部により前記所定範囲より小さい範囲において前記表示部が被覆されたことが検出される、或いは前記表示部への被覆が検出されなくなると、前記第１の表示内容の変化速度を前記第１の所定速度に設定して前記第１の表示内容を前記表示部に表示する
ことを特徴とする請求項１または２に記載の表示機器。
【請求項４】
前記制御部は、前記第１の表示内容の変化速度を前記第２の所定速度に設定して前記第１の表示内容を前記表示部に表示している状態で、前記検出部により前記所定範囲より小さい範囲において前記表示部が被覆されたことが第２の所定時間以上検出される、或いは前記表示部への被覆が第２の所定時間以上検出されなくなると、前記第１の表示内容の変化速度を前記第１の所定速度に設定して前記第１の表示内容を前記表示部に表示する
ことを特徴とする請求項３に記載の表示機器。
【請求項５】
前記制御部は、前記表示部に前記第１の表示内容が表示された状態で前記検出部により所定範囲以上の範囲において前記表示部が被覆されたことが第１の所定時間よりも長い第３の所定時間以上検出されると、前記表示部への前記第１の表示内容の表示を終了する
ことを特徴とする請求項１から４のいずれか一項に記載の表示機器。
【請求項６】
記憶部を有し、
前記制御部は、前記表示部への前記第１の表示内容の表示が終了されると、前記終了直前に前記表示部に表示されていた第１の表示内容に係る情報を前記記憶部に記憶し、その後前記表示部への前記第１の表示内容の表示が再度要求された場合には、前記記憶部に記憶された前記情報に基づいて前記第１の表示内容を前記表示部に表示する
ことを特徴とする請求項５に記載の表示機器。
【請求項７】
前記表示部は、前記第１の表示内容を前記表示部の一部の表示領域に表示可能に構成され、
前記制御部は、前記表示部の前記一部の表示領域に前記第１の表示内容が表示された状態で前記検出部により前記一部の表示領域において所定範囲以上の範囲において前記表示部が被覆されたことが検出されると、前記第１の表示内容の変化速度を第２の所定速度に設定して前記第１の表示内容を前記表示部に表示する
ことを特徴とする請求項１から６のいずれか一項に記載の表示機器。
【請求項８】
時間の経過に伴って変化する第１の表示内容を表示する表示部と、
前記表示部が被覆される範囲を検出する検出部と、
前記表示部に前記第１の表示内容が表示された状態で前記検出部により検出された前記表示部の被覆の範囲が大きくなるにつれて前記第１の表示内容の変化速度を遅く設定し、前記検出部により検出された前記表示部の被覆の範囲が小さくなるにつれて前記時間の経過に伴う前記第１の表示内容の変化速度を速く設定して前記第１の表示内容を前記表示部に表示する制御部と、
を有することを特徴とする表示機器。
【請求項９】
第１の所定速度で変化する第１の表示内容を表示する表示部と、
前記表示部に前記第１の表示内容が表示された状態で、所定範囲以上の範囲において前記表示部に第２の表示内容が表示されると、前記第１の表示内容の変化速度を前記第１の所定速度よりも遅い変化速度である第２の所定速度に設定して前記第１の表示内容を前記表示部に表示する制御部と、
を有することを特徴とする表示機器。
【発明の詳細な説明】
【技術分野】
【０００１】
本発明は、表示部を有する表示機器に関する。
【背景技術】
【０００２】
近年、例えば携帯電話等の携帯電子機器において、静止画像や動画等の表示内容を表示できるものが増えてきている。携帯電子機器における表示内容の再生は、例えばユーザが外出した際にもちょっとした空き時間を利用して表示内容を楽しむことができるため、非常に有用である。
このような従来の技術として、例えば特許文献１に開示された技術がある。
【０００３】
【特許文献１】特開２００１−１６８９５５号公報
【発明の開示】
【発明が解決しようとする課題】
【０００４】
しかし、表示内容の表示を行うことができる表示機器において、例えば、表示部が何かに被覆されてしまうと、ユーザが画像の再生を見ることができなくなる、或いは見にくくなってしまう、という不利益があった。
【０００５】
本発明は、上述した不利益を解消するため、画像の再生を行う表示部位の視認性の低下を防止する表示機器を提供することを目的とする。
【課題を解決するための手段】
【０００６】
上述した不利益を解消するために、第１の発明の表示機器は、第１の所定速度で変化する第１の表示内容を表示する表示部と、前記表示部が被覆される範囲を検出する検出部と、前記表示部に前記第１の表示内容が表示された状態で前記検出部により所定範囲以上の範囲において前記表示部が被覆されたことが検出されると、前記第１の表示内容の変化速度を前記第１の所定速度よりも遅い変化速度である第２の所定速度に設定して前記第１の表示内容を前記表示部に表示する制御部と、を有する。
【０００７】
好適には、前記制御部は、前記表示部に前記第１の表示内容が表示された状態で、前記検出部により所定範囲以上の範囲において前記表示部が被覆されたことが第１の所定時間以上検出されると、前記第１の表示内容の変化速度を前記第２の所定速度に設定して前記第１の表示内容を前記表示部に表示する。
【０００８】
好適には、前記制御部は、前記第１の表示内容の変化速度を前記第２の所定速度に設定して前記第１の表示内容を前記表示部に表示している状態で、前記検出部により前記所定範囲より小さい範囲において前記表示部が被覆されたことが検出される、或いは前記表示部への被覆が検出されなくなると、前記第１の表示内容の変化速度を前記第１の所定速度に設定して前記第１の表示内容を前記表示部に表示する。
【０００９】
好適には、前記制御部は、前記第１の表示内容の変化速度を前記第２の所定速度に設定して前記第１の表示内容を前記表示部に表示している状態で、前記検出部により前記所定範囲より小さい範囲において前記表示部が被覆されたことが第２の所定時間以上検出される、或いは前記表示部への被覆が第２の所定時間以上検出されなくなると、前記第１の表示内容の変化速度を前記第１の所定速度に設定して前記第１の表示内容を前記表示部に表示する。
【００１０】
好適には、前記制御部は、前記表示部に前記第１の表示内容が表示された状態で前記検出部により所定範囲以上の範囲において前記表示部が被覆されたことが第１の所定時間よりも長い第３の所定時間以上検出されると、前記表示部への前記第１の表示内容の表示を終了する。
【００１１】
好適には、記憶部を有し、前記制御部は、前記表示部への前記第１の表示内容の表示が終了されると、前記終了直前に前記表示部に表示されていた第１の表示内容に係る情報を前記記憶部に記憶し、その後前記表示部への前記第１の表示内容の表示が再度要求された場合には、前記記憶部に記憶された前記情報に基づいて前記第１の表示内容を前記表示部に表示する。
【００１２】
好適には、前記表示部は、前記第１の表示内容を前記表示部の一部の表示領域に表示可能に構成され、前記制御部は、前記表示部の前記一部の表示領域に前記第１の表示内容が表示された状態で前記検出部により前記一部の表示領域において所定範囲以上の範囲において前記表示部が被覆されたことが検出されると、前記第１の表示内容の変化速度を第２の所定速度に設定して前記第１の表示内容を前記表示部に表示する。
【００１３】
第２の発明の表示機器は、時間の経過に伴って変化する第１の表示内容を表示する表示部と、前記表示部が被覆される範囲を検出する検出部と、前記表示部に前記第１の表示内容が表示された状態で前記検出部により検出された前記表示部の被覆の範囲が大きくなるにつれて前記第１の表示内容の変化速度を遅く設定し、前記検出部により検出された前記表示部の被覆の範囲が小さくなるにつれて前記時間の経過に伴う前記第１の表示内容の変化速度を速く設定して前記第１の表示内容を前記表示部に表示する制御部と、を有する。
【００１４】
第３の発明の表示機器は、第１の所定速度で変化する第１の表示内容を表示する表示部と、前記表示部に前記第１の表示内容が表示された状態で、所定範囲以上の範囲において前記表示部に第２の表示内容が表示されると、前記第１の表示内容の変化速度を前記第１の所定速度よりも遅い変化速度である第２の所定速度に設定して前記第１の表示内容を前記表示部に表示する制御部と、を有する。
【発明の効果】
【００１５】
本発明によれば、表示部が被覆された場合における表示部の視認性の低下を軽減する表示機器を提供することができる。
【発明を実施するための最良の形態】
【００１６】
以下、本発明の表示機器の実施形態の一例として、携帯端末１００について説明する。
本発明の実施形態の携帯端末は、折り畳み型の携帯電話機を想定している。
＜第１実施形態＞
図１は、携帯端末１００の内部構成の一例を示すブロック図である。
図１に示すように、携帯端末１００は、通信部１と、操作部２と、音声処理部３と、スピーカ４と、マイク５と、表示部６（本発明の表示部に対応）と、記憶部７（本発明の記憶部に対応）と、制御部８（本発明の制御部に対応）とを有する。
【００１７】
図２は、携帯端末１００の外観の一例を示す図である。
図２に示すように、携帯端末１００は、上部筐体１０１と下部筐体１０２とがヒンジ部１０３によって開閉可能に接続されている。
図２（ａ）は携帯端末１００の筐体が開かれた状態を、図２（ｂ）は携帯端末１００の筐体が閉じられた状態を示している。
上部筐体１０１は、スピーカ４及び表示部６を有する。
下部筐体１０２は、操作部２及びマイク５を有する。
【００１８】
通信部１は、複数の通信システムを捕捉し、通信ネットワークに接続される図示しない基地局との間で無線通信を行い、各種データの送受信を行う。各種データとは、音声通話時の音声データ、メール送受信時のメールデータ、ウェブ閲覧時のウェブページデータ、後述する表示部６において再生されるための画像データ等である。
操作部２は、例えば、電源キー、通話キー、数字キー、文字キー、方向キー、決定キー、発信キーなど、各種の機能が割り当てられたキーを含む操作デバイスである。これらのキーがユーザによって操作された場合には、操作部２はその操作内容に対応する信号を発生し、これをユーザの指示として制御部８に出力する。
【００１９】
音声処理部３は、スピーカ４から出力される音声信号やマイク５において入力される音声信号の処理を行う。携帯端末１００の音声通話時などに、音声処理部３は後述する制御部８の制御に従い、マイク５から入力される音声信号を符号化及び圧縮し、或いは、制御部８から受け取った被圧縮音声信号を解凍及び複合化してスピーカ４から出力させる。
【００２０】
表示部６は、多数の画素（複数色の発光素子の組み合わせ）を縦横に配して構成される、例えば液晶ディスプレイ（ＬＣＤ：Liquid Crystal Display）や有機ＥＬ（Electro Luminescence）パネルを用いて構成されており、制御部８から供給される映像信号に応じた画像を表示する。例えば、発信時における発信先の電話番号、着信時における発信元の電話番号、受信メールや送信メールの内容、日付、時刻、電池残量、発信成否、待ち受け画面等を表示する。また、表示部６は、制御部８の制御に従い、画像、特に動画の再生の表示を行う。なお、表示部６における動画が、本発明の第１の表示内容に対応している。なお、表示部６において、動画は、全画面に表示されてもよいし、表示部６の全画面のうちの一部領域にのみ表示されてもよい（ウィンドウ表示）。
【００２１】
表示部６は、また、その表面部に近接センサ６１（本発明の検知部に対応）を有する。
近接センサ６１は、表示部６の表面近くに何かが存在するか否かを検知するためのセンサである。近接センサ６１としては、例えば光学式の近接センサを使用すればよい。すなわち、発光素子（ＬＥＤ等）や受光素子（フォトダイオード等）を内蔵し、発光素子から放射した光の反射光量を受光素子で受光し、光が反射されたか、或いは遮断されたかを検出することにより、物体の接近などを検出するセンサである。さらに、近接センサ６１は、例えば表示部６がＬＣＤにより構成されている場合に、ＬＣＤを構成する各画素ごとに光学式のセンサを内蔵して、表示部６の画素ごとに物体の接近を検知できるようにしてもよい。
近接センサ６１の具体的な仕組みや物体の検出方法については、本発明では限定しない。近接センサ６１には、既存の技術を適用可能である。
【００２２】
記憶部７は、携帯端末１００の各種処理に利用される各種データを記憶する。例えば、制御部８が実行するコンピュータのプログラム、通信相手の電話番号や電子メールアドレス等の個人情報を管理するアドレス帳、着信音やアラーム音を再生するための音声ファイル、待ち受け画面用の画像ファイル、静止画像或いは動画のファイル、各種の設定データ、プログラムの処理過程で利用される一時的なデータなどを保持する。なお、上記した記憶部７は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２３】
制御部８は、携帯端末１００の全体的な動作を統括的に制御する。すなわち、携帯電話の各種の処理（回線交換網を介して行われる音声通話、電子メールの作成と送受信、インターネットのＷｅｂサイトの閲覧など）が操作部２の操作に応じて適切な手順で実行されるように、上述した各ブロックの動作、すなわち通信部１における信号の送受信、音声処理部３における音声の入出力、表示部６における画像の表示等を制御する。
制御部８は、記憶部７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部７に格納されるオペレーティングシステムやアプリケーションプログラム等のプログラムから命令コードを順次読み込んで処理を実行する。
【００２４】
本第１実施形態の携帯端末１００では、制御部８は、表示部６に動画を表示させている場合に、表示部６に近接する物体を近接センサ６１が検出した場合には、表示内容を変化させる処理を行う。
以下、近接センサ６１が表示部６に近接する物体を検出した場合に表示部６の表示内容を変化させる処理について詳細に説明する。
図３は、制御部８による、近接センサ６１が表示部６に近接する物体を検出した場合に表示部６の表示内容を変化させる処理時の動作例を示すフローチャートである。
【００２５】
ステップＳＴ１：
制御部８は、例えばユーザの操作部２を介した操作に応じて、記憶部７に記憶されている動画データの再生処理を行い、表示部６の表示画面の全部または一部に動画を表示させる。なお、動画データは、例えば通信部１によりインターネット等のネットワークからダウンロードされたもの、或いはダウンロード中のもの（ストリーミング再生）であってもよい。
ステップＳＴ２：
制御部８は、表示部６の近接センサ６１を作動させ、表示部６に近接する物体が無いかを検知させる。
【００２６】
ステップＳＴ３：
制御部８は、ステップＳＴ２において近接センサ６１が表示部６に近接する物体を検知したか否かを判定する。近接センサ６１が表示部６に近接する物体を検知した場合はステップＳＴ４に進み、検知しない場合はステップＳＴ１に戻る。
ステップＳＴ４：
制御部８は、近接センサ６１が表示部６の所定の範囲より広い範囲において近接する物体を検知したか否かを判定する。所定の範囲とは、例えば予めユーザにより設定された範囲であり、表示部６の表示画面のうちの所定の割合の画面（動画が表示部の一部の表示画面において表示されている場合には、その一部のうちの所定の割合の画面）を意味する。具体的には、例えば、所定の範囲が全画面の１／２であった場合には、全画素中半分を超える画素に対応する近接センサ６１が近接する物体を検知した場合に、制御部８は所定の範囲より広い範囲において近接する物体を検知したと判定し、全画素中半分以下の画素に対応する近接センサ６１のみが近接する物体を検知した場合には、所定の範囲より広い範囲において近接する物体を検知しなかったと判定する。また、動画が表示部６の全画面のうち１／３の領域に表示されている場合には、例えば所定の範囲が１／２であった場合には、動画表示画面のうちの１／２、すなわち画面全体から見ると１／６の範囲以下所定の範囲より広い範囲において近接する物体を検知した場合に、制御部８は所定の範囲より広い範囲において近接する物体を検知したと判定する。近接する物体を検知した場合には、ステップＳＴ５に進み、そうでない場合は、ステップＳＴ１に戻る。
【００２７】
ステップＳＴ５：
制御部８は、近接センサ６１が表示部６の所定の範囲より広い範囲において近接する物体を検知してからの時間をカウントし、所定時間ｔ１（本発明の第１の所定の時間に対応）以上の時間近接センサ６１が表示部６の所定の範囲より広い範囲において近接する物体を検知しているか否かを判定する。所定時間ｔ１は、例えばユーザにより予め設定された時間である。近接センサ６１が近接する物体を検知している時間が所定時間ｔ１以上であった場合にはステップＳＴ６に進み、所定時間ｔ１未満であった場合にはステップＳＴ１に戻る。
【００２８】
ステップＳＴ６：
制御部８は、表示部６に表示させている動画の再生速度を予め設定された所定の速度に設定する。予め設定された所定の速度とは、等速よりも遅く設定された任意の速度であり、例えば０．５倍速や、０．２倍速等の再生速度である。なお、所定の速度は、本発明の第２の所定速度に対応している。また、ここでは等速とは、予め動画に関連付けられた規定の再生速度を意味し、等速が本発明の第１の所定速度に対応している。すなわち、ステップＳＴ４及び５において、表示部６の所定の範囲より広い範囲において、所定時間ｔ１以上近接する物体が検知された場合には、制御部８は、表示部６の動画再生速度を遅くする。なお、動画の再生速度が本発明の第１の表示内容の変化速度に対応している。
これにより、表示部６が近接する物体により被覆されている状況、すなわち表示部６において再生されている動画がユーザに見られている可能性が低い状況下において、動画の再生速度を所定の再生速度に設定する（遅くする）ことにより、ユーザが見逃すであろう動画の再生内容を低減することができる。また、表示部６の所定の範囲より広い範囲において近接する物体が検出されなかった場合及び、表示部６が所定時間ｔ１以上近接する物体に被覆されていない場合は再生速度を変更しないため、ユーザが表示部６において再生中の動画を閲覧中に、何かの拍子で表示部６に近接する物体が覆ってしまった場合には、ユーザの動画閲覧に悪影響を及ぼす（ユーザが動画再生を見ているにもかかわらず、再生速度を遅くしてしまうなど）恐れが低減される。
なお、予め設定された所定の速度は、例えば０倍速（本発明の０に対応）でもよい。すなわち、制御部８は、表示部６における動画の再生を停止させてもよい。この場合には、ユーザが見逃すであろう動画の内容がより少なくなる。
【００２９】
ステップＳＴ７：
制御部８は、ステップＳＴ６において表示部６における動画の再生速度を所定の速度に設定してから、近接センサ６１によって検知される近接した物体により被覆されている表示部６の範囲が、ステップＳＴ４における所定の範囲よりも小さくなったか否かを判定する。小さくなったと判定した場合はステップＳＴ８に進み、そうでない場合はステップＳＴ１２に進む。
ステップＳＴ８：
制御部８は、ステップＳＴ７において近接センサ６１によって検知される近接した物体により被覆されている表示部６の範囲が、ステップＳＴ４における所定の範囲よりも小さくなったことが判定されてから、所定時間ｔ２（本発明の第２の所定の時間に対応）が経過したか否かを判定する。所定時間ｔ２は、例えばユーザにより予め設定された時間である。近接センサ６１によって検知される近接した物体により被覆されている表示部６の範囲が、ステップＳＴ４における所定の範囲よりも小さくなったことが判定されてから、所定時間ｔ２以上経過した場合にはステップＳＴ９に進み、所定時間ｔ２未満であった場合にはステップＳＴ１０に進む。
【００３０】
ステップＳＴ９：
制御部８は、近接センサ６１によって検知される近接した物体により被覆されている表示部６の範囲が、ステップＳＴ４における所定の範囲よりも小さくなったか否かを再度判定する。小さくなったと判定した場合はステップＳＴ１１に進み、そうでない場合はステップＳＴ１０に進む。
【００３１】
ステップＳＴ１０：
制御部８は、表示部６における動画の再生速度の変更の解除要求がユーザによりなされたか否かを判定する。すなわち、ステップＳＴ６において行った、表示部６における動画の再生速度を所定の速度に設定したその設定を解除する要求が、例えば操作部２を介した操作により、ユーザによってなされたか否かを判定する。再生速度の変更の解除要求がなされたと判定した場合はステップＳＴ１１に進み、なされていない場合はステップＳＴ７に戻る。
ステップＳＴ１１：
制御部８は、ステップＳＴ６において行った、表示部６における動画の再生速度を所定の速度に設定したその設定を解除する。すなわち、等速で動画の再生を行う。
【００３２】
ステップＳＴ１２：
制御部８は、ステップＳＴ４で近接センサ６１が表示部６の所定の範囲より広い範囲において近接する物体を検知してからの時間をカウントし、所定時間t１よりも長い所定時間ｔ３（本発明の第３の所定の時間に対応）が経過したか否かを判定する。所定時間ｔ３は、例えばユーザにより予め設定された時間である。近接センサ６１が表示部６の所定の範囲より広い範囲において近接する物体を検知してから、所定時間ｔ３以上経過した場合にはステップＳＴ１３に進み、所定時間ｔ３未満であった場合にはステップＳＴ７に戻る。
ステップＳＴ１３：
制御部８は、近接センサ６１が表示部６の所定の範囲より広い範囲において近接する物体を検知してから、所定時間ｔ３以上が経過した場合には、表示部６における動画の再生を停止する。これにより、ユーザが動画を閲覧している可能性が低い状況において、表示部６における動画の再生を続けることによる電力消費を抑えることができる。
ステップＳＴ１４：
制御部８は、ステップＳＴ１３において動画の再生を停止した時点での再生位置（本発明の第１の表示内容に係る情報に対応）を記憶部７に記憶する。なお、ステップＳＴ６において動画の再生速度を０倍速に設定、すなわち動画再生を停止した場合には、図示はしないが、本ステップＳＴ１４に進み、制御部８はステップＳＴ６において停止した再生位置を記憶部７に記憶する。
【００３３】
ステップＳＴ１５：
制御部８は、ステップＳＴ１３における動画の再生停止後に、ユーザにより停止前と同一の動画の再生が要求されたか否かを判定する。停止前と同一の動画再生が要求された場合はステップＳＴ１６に進み、そうでない場合（例えば、他の動画再生が要求された場合）は、ステップＳＴ１４において記憶部７に記憶させた動画の再生位置を破棄して然るべき処理（他の動画を再生する処理など）へ移行し、近接センサ６１が表示部６に近接する物体を検出した場合に表示部６の表示内容を変化させる処理を終了する。
ステップＳＴ１６：
制御部８は、ステップＳＴ１４において記憶部７に記憶した再生位置を読み出し、当該再生位置から動画の再生を再開する。これにより、近接する物体が表示部６を覆っていたことによりユーザが見なくなったと推定される再生位置から、動画の再生を再開することができる。したがって、ユーザによる動画の見逃しを少なくすることができる。
【００３４】
以上説明したように、本第１実施形態の携帯端末によれば、制御部８は、表示部６の動画を表示している領域のうちの所定の範囲より広い範囲において、所定時間ｔ１以上近接する物体が近接センサ６１により検知された場合には、表示部６の動画再生速度を等速よりも遅い所定の速度に設定する。これにより、表示部６が近接する物体により被覆されている状況、すなわち表示部６において再生されている動画がユーザに見られている可能性が低い状況下において、動画の再生速度を所定の再生速度に設定する（遅くする）ことにより、ユーザが見逃すであろう動画の再生内容を低減することができる。また、表示部６の所定の範囲より広い範囲において近接する物体が検出されなかった場合及び、表示部６が所定時間ｔ１以上近接する物体に被覆されていない場合は再生速度を変更しないため、ユーザが表示部６において再生中の動画を閲覧中に、何かの拍子で表示部６に近接する物体が覆ってしまった場合には、ユーザの動画閲覧に悪影響を及ぼすことが無い。なお、本発明では、所定時間ｔ１以上近接する物体が近接センサ６１により検知されなくとも、少なくとも当該検知さえされれば（ｔ１未満の検知でも）、表示部６の動画再生速度を等速よりも遅い所定の速度に設定してもよい。
また、制御部８は、動画の再生速度を所定の速度に設定した後、近接した物体に表示部６が被覆されている範囲が所定の範囲よりも小さくなった場合に、近接した物体に表示部６が被覆されている範囲が所定の範囲よりも小さくなってから所定時間ｔ２が経過したとき、その時点でも近接した物体に表示部６が被覆されている範囲が所定の範囲よりも小さい場合には、再生速度の変更を解除する、すなわち等速で再生を行うため、表示部６を被覆する物体の有無に応じて好適に表示部６における動画の再生を行うことができる。
なお、本発明は、所定時間ｔ２が経過せずとも、動画の再生速度が所定の速度に設定した後、近接された物体に表示部６が被覆されている範囲が所定の範囲よりも小さくなったときに再生速度の変更を解除する構成であってもよい。
また、制御部８は、近接センサ６１が表示部６の所定の範囲より広い範囲において近接する物体を検知してから所定時間ｔ３が経過した場合には、動画の再生を停止し、停止した時点での再生位置を記憶部７に記憶する。これにより、ユーザが動画を閲覧している可能性が低い状況において、表示部６における動画の再生を続けることによる電力消費を抑えることができる。
さらに、近接センサ６１が表示部６の所定の範囲より広い範囲において近接する物体を検知してから、所定時間ｔ３が経過した後に動画の再生を停止した後、ユーザにより同一の動画の再生要求がなされた場合には、再生を停止した時点での再生位置を記憶部７から読み出し、その位置から動画の再生を再開する。これにより、ユーザによる動画の見逃しを少なくすることができる。
【００３５】
＜第２実施形態＞
本第２実施形態では、上述した第１実施形態の変形例について説明する。
本第２実施形態の携帯端末１００ａは、近接センサ６１を有していない（有していてもよいが、有する必要は無い）点、及び表示部６における表示領域を管理する表示領域管理部９を有する点において第１実施形態の携帯端末１００と異なっている。
その他の構成については、第１実施形態の携帯端末１００と同様であるため、説明を省略する。
以下、第２実施形態の携帯端末１００ａの動作例について説明する。
【００３６】
本第２実施形態においては、表示部６は各種ウィンドウ表示が可能である。ウィンドウ表示とは、図４に示すように、表示部６の一部領域にのみ表示領域を確保し、当該領域に所定のアプリケーションに関する表示を行うことを指す。そして、これらのウィンドウは、表示領域管理部９によって管理される。なお、本発明の第２の表示内容とは、動画再生以外のアプリケーション等によるウィンドウ表示に対応している。
図４は、ウィンドウ表示について説明するための図である。
図４において、表示部６の表示領域の中にウィンドウＡ及びＢが存在する。ウィンドウＡ及びＢは、それぞれ異なる表示内容の表示領域であり、図４に示すように、ウィンドウ同士が重なって表示されることも可能である。
【００３７】
表示領域管理部９は、表示部６においてウィンドウ表示を行うにあたって、各ウィンドウがどの位置の画素を占めているかを基に、各ウィンドウの位置、大きさ、重なりの管理を行う。重なりの管理とは、複数のウィンドウが重なって表示される場合に、どのウィンドウを全て表示し、どのウィンドウを全て表示するウィンドウに隠れているように表示するか、を管理することを意味している。
【００３８】
本第２実施形態の携帯端末１００ａにおいては、上述したような構成により、動画の再生ウィンドウが他のアプリケーションのウィンドウと重なり合った場合に、動画の再生速度を所定の速度に設定する処理を行うことができる。
図５は、動画の再生ウィンドウが他のアプリケーションのウィンドウと重なり合った場合に、動画の再生速度を所定の速度に設定する処理を説明するためのフローチャートである。
【００３９】
ステップＳＴ２１：
制御部８は、例えばユーザの操作部２を介した操作に応じて、記憶部７に記憶されている動画データの再生処理を行い、表示部６に動画を表示させる。ここでは、動画をウィンドウ表示（全画面のうちの一部の領域にのみ動画を表示すること）する物とする。ダウンロードしたデータ等でもよいことは第１実施形態と同様である。
ステップＳＴ２２：
制御部８は、表示部６において、動画再生のための表示領域に、他のアプリケーションのウィンドウが重なって表示されているか否かを表示領域管理部９からの情報を基に判定する。表示領域管理部９は、複数のウィンドウの位置や大きさ、重なりを管理しているため、制御部８は表示領域管理部９に問い合わせることにより、この判定を行うことができる。重なって表示されるウィンドウがある場合はステップＳＴ２３に進み、他のアプリケーションのウィンドウが動画再生の表示領域に重なって表示されていない場合は、ステップＳＴ２１に戻る。
なお、上記動画再生のための表示領域とは、動画再生のためのウィンドウ表示と、全画面表示（表示部６全体に動画再生を表示する、第１実施形態と同様の表示形態）の両方を含む表現である。
【００４０】
ステップＳＴ２３：
制御部８は、表示領域管理部９が、所定の範囲より広い範囲において、動画再生の表示領域と他のアプリケーションのウィンドウとが重なっているか否かを判定する。所定の範囲とは、例えば予めユーザにより設定された範囲であり、動画再生の表示領域のうちの所定の割合の画面を意味する。所定の範囲より広い範囲において、動画再生領域に他のアプリケーションのウィンドウが重なっていることを検知した場合には、ステップＳＴ２４に進み、そうでない場合は、ステップＳＴ２１に戻る。
ステップＳＴ２４：
制御部８は、所定の範囲より広い範囲において動画再生領域に他のアプリケーションのウィンドウが重なってからの時間をカウントし、所定時間ｔ１以上の時間、所定の範囲より広い範囲において動画再生領域に他のアプリケーションのウィンドウが重なっているか否かを判定する。所定時間ｔ１は、第１実施形態と同様、例えばユーザにより予め設定された時間である。所定の範囲より広い範囲において動画再生領域に他のアプリケーションのウィンドウが重なってからの時間が所定時間ｔ１以上であった場合にはステップＳＴ２５に進み、所定時間ｔ１未満であった場合にはステップＳＴ２１に戻る。
【００４１】
ステップＳＴ２５：
制御部８は、表示部６に表示させている動画の再生速度を予め設定された所定の速度に設定する。予め設定された所定の速度とは、第１実施形態と同様、等速よりも遅く設定された任意の速度であり、例えば０．５倍速や、０．２倍速等の再生速度である。すなわち、ステップＳＴ２３及び２４において、表示部６の所定の範囲より広い範囲において、所定時間ｔ１以上動画の表示領域に他のアプリケーションのウィンドウが重なって表示されている場合には、制御部８は、動画の再生速度を遅くする。
これにより、動画の表示領域に他のアプリケーションのウィンドウが重なっている状況、すなわち表示部６において再生されている動画がユーザに見られている可能性が低い状況下において、動画の再生速度を所定の再生速度に設定する（遅くする）ことにより、ユーザが見逃すであろう動画の再生内容を低減することができる。また、動画再生の表示領域の所定の範囲より広い範囲において他のアプリケーションのウィンドウが重なって表示されていない場合及び、所定時間ｔ１以上他のアプリケーションのウィンドウが重なって表示されていない場合は動画の再生速度を変更しないため、ユーザが表示部６において再生中の動画を閲覧中に、何かの拍子で他のアプリケーションが起動してしまった場合には、ユーザの動画閲覧に悪影響を及ぼす（ユーザが動画再生を見ているにもかかわらず、再生速度を遅くしてしまうなど）恐れが軽減される。
なお、予め設定された所定の速度は、例えば０倍速でもよい。すなわち、制御部８は、表示部６における動画の再生を停止させてもよい。この場合には、ユーザが見逃すであろう動画の内容がより少なくなる。
【００４２】
ステップＳＴ２６：
制御部８は、他のアプリケーションのウィンドウが重なって表示されている表示部６の範囲が、ステップＳＴ２３における所定の範囲よりも小さくなったか否かを判定する。小さくなったと判定した場合はステップＳＴ２７に進み、そうでない場合はステップＳＴステップＳＴ３１に進む。
ステップＳＴ２７：
制御部８は、ステップＳＴ２５において動画再生領域に他のアプリケーションのウィンドウが重なっている範囲が所定の範囲より小さくなったと判定されてから、所定時間ｔ２（本発明の第２の所定の時間に対応）が経過したか否かを判定する。所定時間ｔ２は、第１実施形態と同様、例えばユーザにより予め設定された時間である。動画の再生速度を所定の速度に設定してから、所定時間ｔ２以上経過した場合にはステップＳＴ２８に進み、所定時間ｔ２未満であった場合にはステップＳＴ２９に進む。
【００４３】
ステップＳＴ２８：
制御部８は、他のアプリケーションのウィンドウが重なって表示されている表示部６の範囲が、ステップＳＴ２３における所定の範囲よりも小さくなったか否かを再度判定する。小さくなったと判定した場合はステップＳＴ３０に進み、そうでない場合はステップＳＴステップＳＴ２６に戻る。
ステップＳＴ２９：
制御部８は、表示部６における動画の再生速度の変更の解除要求がユーザによりなされたか否かを判定する。すなわち、ステップＳＴ２５において行った、表示部６における動画の再生速度を所定の速度に設定したその設定を解除する要求が、例えば操作部２を介した操作により、ユーザによってなされたか否かを判定する。再生速度の変更の解除要求がなされたと判定した場合はステップＳＴ３０に進み、なされていない場合はステップＳＴ２６に戻る。
【００４４】
ステップＳＴ３０：
制御部８は、ステップＳＴ２５において行った、表示部６における動画の再生速度を所定の速度に設定したその設定を解除する。すなわち、等速で動画の再生を行う。
ステップＳＴ３１：
制御部８は、ステップＳＴ２３で表示部６の所定の範囲より広い範囲において他のアプリケーションのウィンドウと重なっているか否かを判定してからの時間をカウントし、所定時間t１よりも長い所定時間ｔ３以上が経過したか否かを判定する。所定時間ｔ３は、例えばユーザにより予め設定された、制御部８が動画表示領域に他のアプリケーションのウィンドウが所定の範囲より広い範囲で重なっていることを判定してからカウントされる時間であり、所定時間ｔ１よりも長い時間である。表示部６の所定の範囲より広い範囲において他のアプリケーションのウィンドウと重なっていることを判定してから、所定時間ｔ３以上経過した場合にはステップＳＴ３２に進み、所定時間ｔ３未満であった場合にはステップＳＴ２６に戻る。
【００４５】
ステップＳＴ３２：
制御部８は、表示部６の所定の範囲より広い範囲において他のアプリケーションのウィンドウと重なっていることを判定してから、所定時間ｔ３以上が経過した場合には、表示部６における動画の再生を停止する。これにより、ユーザが動画を閲覧している可能性が低い状況において、表示部６における動画の再生を続けることによる電力消費を抑えることができる。
ステップＳＴ３３：
制御部８は、ステップＳＴ３２において動画の再生を停止した時点での再生位置を記憶部７に記憶する。なお、ステップＳＴ２５において動画の再生速度を０倍速に設定、すなわち動画再生を停止した場合には、本ステップＳＴ３３において、制御部８はステップＳＴ２５において停止した再生位置を記憶部７に記憶する。
【００４６】
ステップＳＴ３４：
制御部８は、ステップＳＴ３２における動画の再生停止後に、ユーザにより停止前と同一の動画の再生が要求されたか否かを判定する。停止前と同一の動画再生が要求された場合はステップＳＴ３５に進み、そうでない場合（例えば、他の動画再生が要求された場合）は、ステップＳＴ３３において記憶部７に記憶させた動画の再生位置を破棄して然るべき処理（他の動画を再生する処理など）へ移行し、動画再生の表示領域に他のアプリケーションのウィンドウが重なって表示されている場合に表示部６の表示内容を変化させる処理を終了する。
ステップＳＴ３５：
制御部８は、ステップＳＴ３３において記憶部７に記憶した再生位置を読み出し、当該再生位置から動画の再生を再開する。これにより、動画再生の表示領域に他のアプリケーションのウィンドウが重なっていたことによりユーザが見なくなったと推定される再生位置から、動画の再生を再開することができる。したがって、ユーザによる動画の見逃しを少なくすることができる。
【００４７】
以上説明したように、本第２実施形態の携帯端末によれば、制御部８は、表示部６の所定の範囲より広い範囲において、所定時間ｔ１以上動画再生の表示領域に他のアプリケーションのウィンドウが重なって表示される場合には、表示部６の動画再生速度を等速よりも遅い所定の速度に設定する。これにより、表示部６において動画再生の表示領域に他のアプリケーションのウィンドウが重なって表示される状況、すなわち表示部６において再生されている動画がユーザに見られている可能性が低い状況下において、動画の再生速度を所定の再生速度に設定する（遅くする）ことにより、ユーザが見逃すであろう動画の再生内容を低減することができる。また、動画再生の表示領域において、所定の範囲より広い範囲で他のアプリケーションのウィンドウが重なっていない場合及び、所定時間ｔ１以上他のアプリケーションのウィンドウが重なっていない場合は再生速度を変更しないため、ユーザが表示部６において再生中の動画を閲覧中に、何かの拍子で他のアプリケーションを動作させてしまった場合等には、再生速度を遅く設定することによりユーザの動画閲覧に悪影響を及ぼすことが無い。なお、本発明では、動画再生領域に他のアプリケーションのウィンドウが重なっていること判定されてから所定時間ｔ１が経過していなくとも、少なくとも当該判定さえされれば（ｔ１だけ経過していなくとも）、表示部６の動画再生速度を等速よりも遅い所定の速度に設定してもよい。
また、制御部８は、動画の再生速度を所定の速度に設定した後、他のアプリケーションのウィンドウが重なっている範囲が所定の範囲よりも小さくなった場合に、他のアプリケーションのウィンドウが重なっている範囲が所定の範囲よりも小さくなってから所定時間ｔ２が経過したとき、その時点でも他のアプリケーションのウィンドウが重なっている範囲が所定の範囲よりも小さい場合には、再生速度の変更を解除する、すなわち等速で再生を行うため、動画再生の表示領域に他のアプリケーションのウィンドウが重なっているか否かに応じて好適に表示部６における動画の再生を行うことができる。
なお、本発明は、所定時間ｔ２が経過せずとも、動画の再生速度が所定の速度に設定した後、他のアプリケーションのウィンドウが重なっている範囲が所定の範囲よりも小さくなったときに再生速度の変更を解除する構成であってもよい。
また、制御部８は、所定の範囲より広い範囲において動画再生領域に他のアプリケーションのウィンドウが重なっていると判定されてから、さらに所定時間ｔ３が経過した場合には、動画の再生を停止し、停止した時点での再生位置を記憶部７に記憶する。これにより、ユーザが動画を閲覧している可能性が低い状況において、表示部６における動画の再生を続けることによる電力消費を抑えることができる。
さらに、制御部８は、所定の範囲より広い範囲において動画再生領域に他のアプリケーションのウィンドウが重なっていると判定されてから所定時間ｔ３が経過した後に動画の再生を停止した後、ユーザにより同一の動画の再生要求がなされた場合には、再生を停止した時点での再生位置を記憶部７から読み出し、その位置から動画の再生を再開する。これにより、ユーザによる動画の見逃しを少なくすることができる。
【００４８】
＜第３実施形態＞
本第３実施形態において説明する携帯端末１００ｂは、上述した第１実施形態の携帯端末１００と、第２実施形態の携帯端末１００ａの機能を併せ持つものである。
なお、本第３実施形態において説明する携帯端末１００ｂは、第１実施形態の携帯端末１００と同様の構成を有するため、各構成についての説明は省略する。
すなわち、第３実施形態の携帯端末１００ｂでは、表示領域管理部９により表示部６において動画再生領域がウィンドウ表示され、近接センサ６１が当該ウィンドウを構成する各画素に近接する物体の存在を検知し、所定の範囲以上及び所定の時間ｔ１以上、動画再生ウィンドウが近接する物体に被覆されていた場合に、動画の再生速度を所定の再生速度に設定する。
【００４９】
したがって、本第３実施形態の携帯端末１００ｂによって、よりユーザの動画の再生環境に合わせて、表示部６に近接する物体がある場合の動画再生速度を設定することができるようになる。
【００５０】
＜第４実施形態＞
本第４実施形態において説明する携帯端末１００ｃは、第１実施形態の携帯端末１００の変形例であり、動画再生の表示領域のうち、近接する物体に表示部６が被覆されている表示領域の大きさに応じて、動画再生の速度を変化させるものである。
なお、本第４実施形態において説明する携帯端末１００ｃは、第１実施形態の携帯端末１００とほぼ同様の構成を有するため、各構成についての説明は省略する。
制御部８は、動画再生時に、近接センサ６１により表示部６に近接する物体を検知した場合に、近接センサ６１の総数に対する近接する物体を検知した近接センサ６１の割合Ｐを算出する。本第４実施形態において、近接センサ６１は、表示部６の画素毎に対応付けられて配設されており、近接する物体を検出した近接センサ６１の数を、近接センサ６１の総数（表示部６の全画素数）で割ることにより、近接センサ６１の総数に対する近接する物体を検知した近接センサ６１の割合Ｐを算出することができる。
【００５１】
そして、制御部８は、動画の再生速度を、上記割合Ｐに応じて設定する。すなわち、割合Ｐが０．２であれば、近接する物体に被覆されている動画再生領域がそれほど大きくないため、再生速度をそれほど遅くする必要は無いとして、例えば０．８倍速で動画再生を行う。また、割合Ｐが０．７であれば、近接する物体に被覆されている動画再生領域が大きいため、再生速度を遅くし、例えば０．３倍速で動画再生を行う。そして、割合Ｐが１．０であれば、表示部６全てが近接する物体により被覆されているため、動画再生を停止する（０倍速で再生する）。すなわち、近接センサ６１の総数に対する近接する物体を検知した近接センサ６１の割合Ｐに対して、例えば動画再生の再生速度を（１−Ｐ）倍速と設定することにより、近接する物体に被覆されている領域が大きいほど動画再生速度を遅くし、近接する物体に被覆されている領域が小さいほど動画再生速度を早くすることができる。
【００５２】
以上説明した第４実施形態の携帯端末１００ｃによれば、近接する物体に被覆されている領域が大きいほど動画再生速度を遅くし、近接する物体に被覆されている領域が小さいほど動画再生速度を早くすることができるため、動画再生時に表示部６が近接する物体に被覆されてしまった場合に好適な表示速度で動画再生を行うことができ、ユーザの動画の見逃しを最小限に抑えることができるようになる。
【００５３】
なお、第４実施形態において説明した、動画再生の表示領域のうち、近接する物体に表示部６が被覆されている表示領域の大きさに応じて、動画再生の速度を変化させる変形例は、第２及び第３実施形態の携帯端末１００ａ及び１００ｂにも適用が可能である。すなわち、第２実施形態の携帯端末１００ａにおいては、表示領域管理部９が、動画再生の表示領域のうちの、他のアプリケーションが重なっている画素数の割合Ｐ’を算出し、制御部８が、割合Ｐ’に応じて動画再生速度を設定する（割合Ｐ’が大きいほど再生速度を０に近く、Ｐ’が小さいほど再生速度を等速に近く設定する）ことにより、第４実施形態の携帯端末１００ｃと同様の効果を得ることができる。同様に、第３実施形態の携帯端末１００ｂにおいては、動画再生ウィンドウを構成する画素数（に対応した近接センサ６１の個数）に対する近接する物体を検知した近接センサ６１の割合Ｐ’’を算出し、制御部８が、割合Ｐ’’に応じて動画再生速度を設定する（割合Ｐ’’が大きいほど再生速度を０に近く、Ｐ’’が小さいほど再生速度を等速に近く設定する）ことにより、第４実施形態の携帯端末１００ｃと同様の効果を得ることができる。
【００５４】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
上述した実施形態においては、携帯端末１００は折り畳み型の携帯電話機であるとしたが、本発明はこれには限定されない。発光構造を有する電子機器類であれば、折り畳み型以外の携帯電話機、ＰＤＡ（Personal Digital Assistant）等の電子機器であってもよい。
【図面の簡単な説明】
【００５５】
【図１】図１は、第１実施形態の携帯端末の内部構成の一例を示すブロック図である。
【図２】図２は、第１実施形態の携帯端末１００の外観の一例を示す図である。
【図３】図３は、第１実施形態において、制御部８による、近接センサ６１が表示部６に近接する物体を検出した場合に表示部６の表示内容を変化させる処理時の動作例を示すフローチャートである。
【図４】図４は、ウィンドウ表示について説明するための図である。
【図５】図５は、第２実施形態において、動画の再生ウィンドウが他のアプリケーションのウィンドウと重なり合った場合に、動画の再生速度を所定の速度に設定する処理を説明するためのフローチャートである。
【符号の説明】
【００５６】
１００，１００ａ，１００ｂ，１００ｃ…携帯端末、１０１…上部筐体、１０２…下部筐体、１０３…ヒンジ部、１…通信部、２…操作部、３…音声処理部、４…スピーカ、５…マイク、６…表示部、６１…近接センサ、７…記憶部、８…制御部、９…表示領域管理部
【図１】
0005425410.tif 000002
【図２】
0005425410.tif 000003
【図３】
0005425410.tif 000004
【図４】
0005425410.tif 000005
【図５】
0005425410.tif 000006